(57)【要約】  ＩＥＥＥ８０２．２１準拠の通信ネットワークにおけるハンドオーバー（ｈａｎｄｏｖｅｒ）を改良するための方法および装置が開示される。ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）からＭＩＨＳ（ＭＩＨ（Ｍｅｄｉａ  Ｉｎｄｅｐｅｎｄｅｎｔ  Ｈａｎｄｏｖｅｒ：媒体に独立なハンドオーバー）ｓｅｒｖｅｒ：ＭＩＨサーバー）に、問い合わせ（ｑｕｅｒｙ）が送信される。ＷＴＲＵは、目標ＰｏＡ（Ｐｏｉｎｔ  ｏｆ  Ａｔｔａｃｈｍｅｎｔ：接続点）、および／または好適なＭＩＰ（Ｍｏｂｉｌｅ  Ｉｎｔｅｒｎｅｔ  Ｐｒｏｔｏｃｏｌ：移動体インターネット・プロトコル）の方法を含む。ＷＴＲＵは、目標ＰｏＡによって支援されるＭＩＰの方法を表すＭＩＨＳからの応答を受信する。この受信された応答に基づき、ＷＴＲＵはハンドオーバーに関して十分な情報を得た上で判断を下すことができる。
2010524358.tif 000002
【特許請求の範囲】
【請求項１】
目標接続点（ｐｏｉｎｔ  ｏｆ  ａｔｔａｃｈｍｅｎｔ）に関するＭＩＰ（Ｍｏｂｉｌｅ  Ｉｎｔｅｒｎｅｔ  Ｐｒｏｔｏｃｏｌ：移動体インターネット・プロトコル）情報を獲得する方法であって：
前記目標接続点および好適なＭＩＰの方法、の識別を含む問い合わせ（ｑｕｅｒｙ）を送信するステップと、
前記目標接続点および前記目標接続点のＭＩＰ構成設定方法、の識別を含む応答を受信するステップと
を具備することを特徴とする方法。
【請求項２】
前記ＭＩＰ構成設定方法が、クライアントＭＩＰであることを特徴とする請求項１に記載の方法。
【請求項３】
前記ＭＩＰ構成設定方法が、プロキシＭＩＰであることを特徴とする請求項１に記載の方法。
【請求項４】
前記目標接続点の前記識別が、目標ＰｏＡ識別一覧（Ｔａｒｇｅｔ  ＰｏＡ  Ｉｄｅｎｔｉｆｉｅｒ  Ｌｉｓｔ）フィールド中で伝達されることを特徴とする請求項１に記載の方法。
【請求項５】
前記好適なＭＩＰの方法が、要求ＭＩＰ移動性方法（Ｒｅｑｕｅｓｔｅｄ  ＭＩＰ  Ｍｏｂｉｌｉｔｙ  Ｍｅｔｈｏｄ）フィールド中で伝達されることを特徴とする請求項１に記載の方法。
【請求項６】
前記目標接続点の前記識別が、新ＰｏＡ識別子（Ｎｅｗ  ＰｏＡ  Ｉｄｅｎｔｉｆｉｅｒ）フィールド中で伝達されることを特徴とする請求項１に記載の方法。
【請求項７】
前記目標接続点の前記ＭＩＰ構成設定方法が、ＩＰ構成設定方法（ＩＰ  Ｃｏｎｆｉｇｕｒａｔｉｏｎ  Ｍｅｔｈｏｄ）フィールド中で伝達されることを特徴とする請求項１に記載の方法。
【請求項８】
前記要求ＭＩＰ移動性方法（Ｒｅｑｕｅｓｔｅｄ  ＭＩＰ  Ｍｏｂｉｌｉｔｙ  Ｍｅｔｈｏｄ）フィールドの第１４ビットが、プロキシＭＩＰバージョン６を識別することを特徴とする請求項７に記載の方法。
【請求項９】
前記ＩＰ構成設定方法（ＩＰ  Ｃｏｎｆｉｇｕｒａｔｉｏｎ  Ｍｅｔｈｏｄ）フィールドの第１４ビットが、プロキシＭＩＰバージョン６を識別することを特徴とする請求項７に記載の方法。
【請求項１０】
目標接続点（ｐｏｉｎｔ  ｏｆ  ａｔｔａｃｈｍｅｎｔ）に関するＭＩＰ（Ｍｏｂｉｌｅ  Ｉｎｔｅｒｎｅｔ  Ｐｒｏｔｏｃｏｌ：移動体インターネット・プロトコル）情報を獲得する方法であって：
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）から問い合わせを受信するステップであって、前記問い合わせが、前記目標接続点および好適なＭＩＰの方法、の識別を含むことと、
ＭＩＨＳ（Ｍｅｄｉａ  Ｉｎｄｅｐｅｎｄｅｎｔ  Ｈａｎｄｏｖｅｒ  Ｓｅｒｖｅｒ：ＭＩＨ（媒体に独立なハンドオーバー）サーバー）に前記問い合わせを転送するステップと、
前記ＭＩＨＳから前記問い合わせへの応答を受信するステップと、
前記ＷＴＲＵへ前記応答を送信するステップであって、前記応答が、前記目標接続点および前記目標接続点のＭＩＰ構成設定方法、の識別を含むことと
を具備することを特徴とする方法。
【請求項１１】
前記ＭＩＰ構成設定方法が、クライアントＭＩＰであることを特徴とする請求項１０に記載の方法。
【請求項１２】
前記ＭＩＰ構成設定方法が、プロキシＭＩＰであることを特徴とする請求項１０に記載の方法。
【請求項１３】
前記目標接続点の前記識別が、目標ＰｏＡ識別一覧（Ｔａｒｇｅｔ  ＰｏＡ  Ｉｄｅｎｔｉｆｉｅｒ  Ｌｉｓｔ）フィールド中で伝達されることを特徴とする請求項１０に記載の方法。
【請求項１４】
前記好適なＭＩＰの方法が、要求ＭＩＰ移動性方法（Ｒｅｑｕｅｓｔｅｄ  ＭＩＰ  Ｍｏｂｉｌｉｔｙ  Ｍｅｔｈｏｄ）フィールド中で伝達されることを特徴とする請求項１０に記載の方法。
【請求項１５】
前記目標接続点の前記識別が、新ＰｏＡ識別子（Ｎｅｗ  ＰｏＡ  Ｉｄｅｎｔｉｆｉｅｒ）フィールド中で伝達されることを特徴とする請求項１０に記載の方法。
【請求項１６】
前記目標接続点の前記ＭＩＰ構成設定方法が、ＩＰ構成設定方法（ＩＰ  Ｃｏｎｆｉｇｕｒａｔｉｏｎ  Ｍｅｔｈｏｄ）フィールド中で伝達されることを特徴とする請求項１０に記載の方法。
【請求項１７】
前記要求ＭＩＰ移動性方法（Ｒｅｑｕｅｓｔｅｄ  ＭＩＰ  Ｍｏｂｉｌｉｔｙ  Ｍｅｔｈｏｄ）フィールドの第１４ビットが、プロキシＭＩＰバージョン６を識別することを特徴とする請求項１４に記載の方法。
【請求項１８】
前記ＩＰ構成設定方法（ＩＰ  Ｃｏｎｆｉｇｕｒａｔｉｏｎ  Ｍｅｔｈｏｄ）フィールドの第１４ビットが、プロキシＭＩＰバージョン６を識別することを特徴とする請求項１４に記載の方法。
【請求項１９】
目標接続点（ｐｏｉｎｔ  ｏｆ  ａｔｔａｃｈｍｅｎｔ）に関するＭＩＰ（Ｍｏｂｉｌｅ  Ｉｎｔｅｒｎｅｔ  Ｐｒｏｔｏｃｏｌ：移動体インターネット・プロトコル）情報を獲得するためのＷＴＲＵ（Ｗｉｒｅｌｅｓｓ  Ｔｒａｎｓｍｉｔ  Ｒｅｃｅｉｖｅ  Ｕｎｉｔ：無線送受信ユニット）であって：
目標接続点を識別するように、ならびに前記ＷＴＲＵの、前記目標接続点および好適なＭＩＰの方法、の識別を含む問い合わせを発生させるように構成される処理装置と、
前記問い合わせをＭＩＨサーバー（Ｍｅｄｉａ  Ｉｎｄｅｐｅｎｄｅｎｔ  Ｈａｎｄｏｖｅｒ  ｓｅｒｖｅｒ）に送信するように構成される送信機と、
前記問い合わせへの応答を受信するように構成される受信機であって、前記応答が、前記目標接続点および前記目標接続点のＭＩＰ構成設定方法、の識別を含むことと
を具備することを特徴とするＷＴＲＵ。
【請求項２０】
前記処理装置が、前記目標接続点の前記ＭＩＰ構成設定方法を基づき前記目標接続点にハンドオフするべきかを判定するようにさらに構成されることを特徴とする請求項１９に記載のＷＴＲＵ。
【請求項２１】
前記ＷＴＲＵの前記好適なＭＩＰの方法が、クライアントＭＩＰであることを特徴とする請求項１９に記載のＷＴＲＵ。
【請求項２２】
前記ＷＴＲＵの前記好適なＭＩＰの方法が、プロキシＭＩＰであることを特徴とする請求項１９に記載のＷＴＲＵ。
【請求項２３】
前記目標接続点の前記識別が、目標ＰｏＡ識別子一覧（Ｔａｒｇｅｔ  ＰｏＡ  Ｉｄｅｎｔｉｆｉｅｒ  Ｌｉｓｔ）フィールド中で伝達されることを特徴とする請求項１９に記載のＷＴＲＵ。
【請求項２４】
前記好適なＭＩＰの方法が、要求ＭＩＰ移動性方法（Ｒｅｑｕｅｓｔｅｄ  ＭＩＰ  Ｍｏｂｉｌｉｔｙ  Ｍｅｔｈｏｄ）フィールド中で伝達されることを特徴とする請求項１９に記載のＷＴＲＵ。
【請求項２５】
前記要求ＭＩＰ移動性方法（Ｒｅｑｕｅｓｔｅｄ  ＭＩＰ  Ｍｏｂｉｌｉｔｙ  Ｍｅｔｈｏｄ）フィールドの第１４ビットが、プロキシＭＩＰバージョン６を識別することを特徴とする請求項２４に記載のＷＴＲＵ。
【請求項２６】
目標接続点（ｐｏｉｎｔ  ｏｆ  ａｔｔａｃｈｍｅｎｔ）に関するＭＩＰ（Ｍｏｂｉｌｅ  Ｉｎｔｅｒｎｅｔ  Ｐｒｏｔｏｃｏｌ：移動体インターネット・プロトコル）情報を獲得するためのＡＰ（Ａｃｃｅｓｓ  Ｐｏｉｎｔ：アクセス・ポイント）であって：
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）から問い合わせを受信するように構成される受信機であって、前記問い合わせが、前記目標接続点および好適なＭＩＰの方法、の識別を含むことと、
ＭＩＨＳ（Ｍｅｄｉａ  Ｉｎｄｅｐｅｎｄｅｎｔ  Ｈａｎｄｏｖｅｒ  Ｓｅｒｖｅｒ：ＭＩＨ（媒体に独立なハンドオーバー）サーバー）に前記問い合わせを転送するように、および前記ＭＩＨＳから前記問い合わせへの応答を受信するように構成される処理装置と、
前記ＷＴＲＵへ前記応答を送信するように構成される送信機であって、前記応答が、前記目標接続点および前記目標接続点のＭＩＰ構成設定方法、の識別を含むことと
を具備することを特徴とするＷＴＲＵ。
【請求項２７】
前記目標接続点の前記識別が、新ＰｏＡ識別子（Ｎｅｗ  ＰｏＡ  Ｉｄｅｎｔｉｆｉｅｒ）フィールド中で伝達されることを特徴とする請求項２６に記載のＡＰ。
【請求項２８】
前記目標接続点の前記ＭＩＰ構成設定方法が、ＩＰ構成設定方法（ＩＰ  Ｃｏｎｆｉｇｕｒａｔｉｏｎ  Ｍｅｔｈｏｄ）フィールド中で伝達されることを特徴とする請求項２６に記載のＡＰ。
【請求項２９】
ＩＰ構成設定方法（ＩＰ  Ｃｏｎｆｉｇｕｒａｔｉｏｎ  Ｍｅｔｈｏｄ）フィールドの第１４ビットが、プロキシＭＩＰバージョン６を識別することを特徴とする請求項２８に記載のＡＰ。
【発明の詳細な説明】
【技術分野】
【０００１】
ここに開示される主題は、一般には無線通信システムに関する。
【背景技術】
【０００２】
ＩＥＥＥ８０２．２１規格は、システム間のハンドオーバー（ｈａｎｄｏｖｅｒ）の実行および管理を支援する機構および手順を定義する。ＩＥＥＥ８０２．２１は、クライアントＭＩＰ（Ｍｏｂｉｌｅ  Ｉｎｔｅｒｎｅｔ  Ｐｒｏｔｏｃｏｌ：移動体インターネット・プロトコル）およびプロキシＭＩＰなどの、移動性管理（Ｍｏｂｉｌｉｔｙ  Ｍａｎａｇｅｍｅｎｔ）アプリケーションに役立つ３つの主要なサービスを定義する。図１を参照するとこれらのサービスは、イベント・サービス１００、情報サービス１０５、およびコマンド・サービス１１０である。これらのサービスは、ＭＩＨ（Ｍｅｄｉａ  Ｉｎｄｅｐｅｎｄｅｎｔ  Ｈａｎｄｏｖｅｒ：媒体に独立なハンドオーバー）機能１２５を介して下位層１１５から上位層１２０へ情報およびトリガーを提供することによって、ハンドオーバー動作、システム探索（ｄｉｓｃｏｖｅｒｙ）、およびシステム選択の管理を支援する。
【０００３】
コマンド・サービス１１０の文脈の中で、ＭＩＨ互換のノードに問い合わせ（ｑｕｅｒｙ）を行いそのノードのＩＰ（Ｉｎｔｅｒｎｅｔ  Ｐｒｏｔｏｃｏｌ：インターネット・プロトコル）能力を判定するために機能性が定義される。これは、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）から送出されるＭＩＨ＿Ｎｅｔｗｏｒｋ＿Ａｄｄｒｅｓｓ＿Ｉｎｆｏｒｍａｔｉｏｎ要求メッセージ、およびＭＩＨ互換のノードから送出されるＭＩＨ＿Ｎｅｔｗｏｒｋ＿Ａｄｄｒｅｓｓ＿Ｉｎｆｏｒｍａｔｉｏｎ応答メッセージを介して達成される。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）ＬＴＥ（Ｌｏｎｇ  Ｔｅｒｍ  Ｅｖｏｌｕｔｉｏｎ：長期進化型）システムなどのあるシステムは、クライアントＭＩＰおよびプロキシＭＩＰの両方が使用されるハイブリッド移動体方式を利用する。ＯＴＡ（Ｏｖｅｒ−Ｔｈｅ−Ａｉｒ）トンネリング・オーバーヘッドの排除、柔軟性の良さ、および待ち時間の削減などの、そのよく知らた利点のために、プロキシＭＩＰが好まれる。しかしながらローミング・シナリオにおいては、プロキシＭＩＰを支援しないネットワークにＷＴＲＵが遭遇することになる可能性が高い。このシナリオにおいては、クライアントＭＩＰが使用される。
【発明の概要】
【発明が解決しようとする課題】
【０００５】
現在のＩＥＥＥ８０２．２１規格の下では、アクセス可能なネットワークが局所化された移動性手順（プロキシＭＩＰなど）のサポートを提供するのか、または従来的移動性手順（クライアントＭＩＰなど）のみのサポートを提供するかをＷＴＲＵは判定することができない。ネットワーク選択においては、この情報は重要な評価基準である。望ましくない移動性管理手順によりネットワークを選択することは、最適ではない移動性シナリオをもたらすことになる。その上、ＷＴＲＵがネットワークのＭＩＰ特性を判定することができるなら、そのＷＴＲＵは、ＩＥＥＥ８０２．２１の手順をトリガーし、移動性の取り扱いを改良することができる。
【課題を解決するための手段】
【０００６】
ＩＥＥＥ８０２．２１準拠の通信におけるハンドオーバーを改良するための方法および装置が開示される。ＷＴＲＵからＭＩＨＳ（ＭＩＨ  ｓｅｒｖｅｒ：ＭＩＨサーバー）に、問い合わせ（ｑｕｅｒｙ）が送信される。ＷＴＲＵは、目標のＰｏＡ（Ｐｏｉｎｔ  ｏｆ  Ａｔｔａｃｈｍｅｎｔ：接続点）、および／または好適なＭＩＰの方法を含む。ＷＴＲＵは、目標ＰｏＡによって支援されるＭＩＰの方法を表すＭＩＨＳからの応答を受信する。この受信された応答に基づき、ＷＴＲＵはハンドオーバーに関して十分な情報を得た上で判断を下すことができる。
【図面の簡単な説明】
【０００７】
例として与えられ、そして添付された図面に関連して理解されるべき以下の記述から、本発明のより詳細な理解を得ることができる。
【図１】ＭＩＨサービスのブロック図である。
【図２】そこに位置するさまざまなネットワークに関する移動性管理情報をＷＴＲＵが獲得することができない無線通信システムを示す図である。
【図３】ＷＴＲＵがＭＩＨサーバーに問い合わせし、そしてそこに位置するさまざまなネットワークに関する移動性管理情報を受信することができる、図２の高度化されたネットワークを示す図である。
【図４】ここに開示されるＭＩＨ＿Ｎｅｔｗｏｒｋ＿Ａｄｄｒｅｓｓ＿Ｉｎｆｏｒｍａｔｉｏｎ＿Ｒｅｑｕｅｓｔメッセージの図である。
【図５】ここに開示されるＭＩＨ＿Ｎｅｔｗｏｒｋ＿Ａｄｄｒｅｓｓ＿Ｉｎｆｏｒｍａｔｉｏｎ＿Ｒｅｓｐｏｎｓｅメッセージの図である。
【図６】図４および図５のメッセージを送受信するように構成されるＷＴＲＵおよびアクセス・ポイントのブロック図である。
【発明を実施するための形態】
【０００８】
ここで参照される、用語「ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）」は、限定はしないが、ＵＥ（Ｕｓｅｒ  Ｅｑｕｉｐｍｅｎｔ：ユーザー設備）、移動体ノード、ＳＴＡ（ｍｏｂｉｌｅ  ＳＴＡｔｉｏｎ：移動体端末）、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なる種別のユーザー・デバイスをも含む。これ以後参照されると、用語「アクセス・ポイント（Ａｃｃｅｓｓ  Ｐｏｉｎｔ）」は、限定的ではなく、ノードＢ（Ｎｏｄｅ−Ｂ）、サイト制御装置、基地局（ｂａｓｅ  ｓｔａｔｉｏｎ）、または無線環境において動作する能力のある他の如何なる種別のインターフェイス・デバイスをも含む。
【０００９】
前述の問題の解決策は、ネットワークのＭＩＰ能力に関する情報をＷＴＲＵに提供することである。ネットワークは、ＷＴＲＵがそこにハンドオーバーすることを考慮している候補となるネットワークであることが望ましい。一実施形態においては、ハンドオーバーのための目標ネットワークであるネットワークに関する識別子を要求メッセージが含む。関連付けられた応答メッセージは、識別されたネットワークのＭＩＰ能力を含む。
【００１０】
図２は、２つの異なるネットワーク２０５および２１０を含む通信システム２００であり、ＷＴＲＵ２１５には移動性管理情報が利用可能ではない。ネットワーク２０５は、複数のネットワーク・ルーター（２２０、２２５）、ならびに３つのアクセス・ポイント２３０、２３５、および２４０を含む。第１のネットワーク２０５のサーバー２４５は、ネットワーク・ルーター２２０、２２５、および例えばインターネット２５０を介して他のネットワークのサーバーと通信する。第２のネットワーク２１０はまた、サーバー２５５、ネットワーク・ルーター２６０、およびアクセス・ポイント２６５を含む。第１のネットワーク２０５および第２のネットワーク２１０は、同一であるかまたは別の種別である場合があることが注目される。
【００１１】
通信システム２００において、プロキシＭＩＰなどの局所化された移動性管理プロトコルが第１のネットワーク２０５のみにて支援（サポート）される。ＷＴＲＵ２１５がアクセス・ポイント２３０、２３５、および２４０（それぞれ位置Ａ、Ｂ、およびＣ）と通信する場合には、アクセス・ポイント間ハンドオーバーのために局所化された移動性管理が利用可能になる。しかしながら第２のネットワーク２１０は、クライアントＭＩＰを支援するのみで、局所化された移動性管理プロトコルを支援しない。アクセス・ポイント２６５を介して第２のネットワーク２１０（位置Ｄ）とＷＴＲＵ２１５が通信状態になった場合には、ＷＴＲＵ２１５は、クライアント起動のＭＩＰ  Ｂｉｎｄｉｎｇ  Ｕｐｄａｔｅ手順を含む、クライアントＭＩＰ手順を実行することになる。このクライアントＭＩＰ手順は、第２のネットワーク２１０におけるアクセス・ポイント２６５へのＷＴＲＵ２１５のハンドオーバーを潜在的に遅延させる場合がある。
【００１２】
図３を参照すると、無線通信システム３００が上で図２に対して識別された要素のすべて、並びにインターネット２５０を介してアクセス可能なＭＩＨＳ（ＭＩＨ  ｓｅｒｖｅｒ：ＭＩＨサーバー）３０５を含む。ＭＩＨＳ３０５は、ＭＩＨの種々の態様を制御し、そしてＷＴＲＵ群および様々なネットワークの間のサービスを調整する。ＷＴＲＵ２１５がアクセス・ポイント２４０に関連付けられるとき、ＷＴＲＵ２１５はＭＩＨＳ３０５に問い合わせし、回りのネットワークの能力を判定することができる。ＷＴＲＵ２１５からＭＩＨＳ３０５に送出される、ＭＩＨ＿Ｎｅｔｗｏｒｋ＿Ａｄｄｒｅｓｓ＿Ｉｎｆｏｒｍａｔｉｏｎ＿Ｒｅｑｕｅｓｔメッセージ３１０を介してこれを達成することができる。候補となるネットワーク（第２のネットワーク２１０）における候補となるＰｏＡ（Ｐｏｉｎｔ  ｏｆ  Ａｔｔａｃｈｍｅｎｔ：接続点）は、このシナリオにおいてはアクセス・ポイント２６５であるが、メッセージ３１０において識別することができる。それに応答してＭＩＨＳ３０５は、候補となるネットワーク（第２のネットワーク２１０）の、プロキシＭＩＰが支援されるかなどの、特性に関する情報を提供する。ＭＩＨＳ３０５は、要求された情報を含むＭＩＨ＿Ｎｅｔｗｏｒｋ＿Ａｄｄｒｅｓｓ＿Ｉｎｆｏｒｍａｔｉｏｎ＿Ｒｅｓｐｏｎｓｅメッセージ３１５を送出することによって、ＭＩＨ＿Ｎｅｔｗｏｒｋ＿Ａｄｄｒｅｓｓ＿Ｉｎｆｏｒｍａｔｉｏｎ＿Ｒｅｑｕｅｓｔメッセージ３１０に応答する。
【００１３】
あるいは、ＭＩＨ＿Ｎｅｔｗｏｒｋ＿Ａｄｄｒｅｓｓ＿Ｉｎｆｏｒｍａｔｉｏｎ＿Ｒｅｑｕｅｓｔメッセージ３１０は単にＷＴＲＵ２１５のＭＩＰ選好（ｐｒｅｆｅｒｅｎｃｅ）を表す場合がある。このシナリオにおいてはＭＩＨＳ３０５は、ＷＴＲＵ２１５のＭＩＰ選好を支援する能力のあるネットワークを識別することになる。ＭＩＨ＿Ｎｅｔｗｏｒｋ＿Ａｄｄｒｅｓｓ＿Ｉｎｆｏｒｍａｔｉｏｎ＿Ｒｅｓｐｏｎｓｅメッセージ３１５においてＭＩＨＳ３０５から受信した情報に基づき、支援されるＭＩＰサービスおよび選好によって、ＷＴＲＵ２１５は、アクセス・ポイント２４０またはアクセス・ポイント２６５を選択することができる。
【００１４】
図４を参照すると、ＭＩＨ＿Ｎｅｔｗｏｒｋ＿Ａｄｄｒｅｓｓ＿Ｉｎｆｏｒｍａｔｉｏｎ要求メッセージ４００が、発信元（Ｓｏｕｒｃｅ）ＩＤフィールド４０５、送信先（Ｄｅｓｔｉｎａｔｉｏｎ）ＩＤフィールド４１０、現在のリンク（Ｃｕｒｒｅｎｔ  Ｌｉｎｋ）ＩＤフィールド４１５、新ＰｏＡ識別子（Ｎｅｗ  ＰｏＡ  Ｉｄｅｎｔｉｆｉｅｒ）フィールド４２０、目標ＰｏＡ識別子一覧（Ｔａｒｇｅｔ  ＰｏＡ  Ｉｄｅｎｔｉｆｉｅｒ  Ｌｉｓｔ）フィールド４２５、現在のＩＰ構成設定方法（Ｃｕｒｒｅｎｔ  ＩＰ  Ｃｏｎｆｉｇｕｒａｔｉｏｎ  Ｍｅｔｈｏｄ）フィールド４３０、現在の（Ｃｕｒｒｅｎｔ）ＤＨＣＰ（Ｄｙｎａｍｉｃ  Ｈｏｓｔ  Ｃｏｎｔｒｏｌ  Ｐｒｏｔｏｃｏｌ：動的ホスト制御プロトコル）サーバー・アドレス（Ｓｅｒｖｅｒ  Ａｄｄｒｅｓｓ）フィールド４３５、現在の（Ｃｕｒｒｅｎｔ）ＦＡ（Ｆｏｒｅｉｇｎ  Ａｇｅｎｔ：形式の異なるエージェント）アドレス（Ａｄｄｒｅｓｓ）フィールド４４０、現在の（Ｃｕｒｒｅｎｔ）アクセス・ルーター・アドレス（Ａｃｃｅｓｓ  Ｒｏｕｔｅｒ  Ａｄｄｒｅｓｓ）フィールド４４５、および要求ＭＩＰ移動性方法（Ｒｅｑｕｅｓｔｅｄ  ＭＩＰ  Ｍｏｂｉｌｉｔｙ  Ｍｅｔｈｏｄ）フィールド４５０を含む。
【００１５】
発信元ＩＤフィールド４０５は、メッセージの発信元を表す。送信先ＩＤフィールド４１０は、要求の送信先になる遠隔ＭＩＨ機能を表す。現在のリンクＩＤフィールド４１５は、ハンドオーバーのための発信元リンクを表す。新ＰｏＡ識別子フィールド４２０は、新しい接続点の識別性（ｉｄｅｎｔｉｔｙ）を表す。目標ＰｏＡ識別子一覧フィールド４２５は、ＷＴＲＵがハンドオーバーのために考慮している、可能性のある接続点の一覧を含む。随意的に、可能性のある接続点の一覧は選好によって分類され、最も好適な接続点は最も好適でないものの前に記載される。現在のＩＰ構成設定方法フィールド４３０は、現在のＩＰ構成設定の方法を表す。一実施形態においては、このフィールドは随意的フィールドである。現在のＤＨＣＰサーバー・アドレス・フィールド４３５は、現在のＤＨＣＰサーバーのＩＰアドレスを表す。一実施形態においては、ＷＴＲＵが動的アドレス構成設定を使用している場合にのみ、このフィールドが含まれる。別の実施形態においては、このフィールドは随意的である。現在のＦＡ（Ｆｏｒｅｉｇｎ  Ａｇｅｎｔ：形式の異なるエージェント）アドレス・フィールド４４０は、現在のＦＡのＩＰアドレスを表す。一実施形態においては、ＷＴＲＵがＭＩＰｖ４を使用している場合にのみ、このフィールドが含まれる。現在のアクセス・ルーター・アドレス・フィールド４４５は現在のアクセス・ルーターのＩＰアドレスを表す。一実施形態においては、ＷＴＲＵがＩＰｖ６を使用している場合にのみ、このフィールドが含まれる。別の実施形態においては、このフィールドは随意的である。要求ＭＩＰ移動性方法フィールド４５０は、ＷＴＲＵの好適なＭＩＰ移動性方法を識別する。ＭＩＨ＿Ｎｅｔｗｏｒｋ＿Ａｄｄｒｅｓｓ＿Ｉｎｆｏｒｍａｔｉｏｎ要求メッセージ４００は、上に記述されたフィールドのすべてを、またはこれらのフィールドの何れの部分集合をも、何れかの組み合わせにおいて、含むことができる。
【００１６】
一実施形態においては、要求ＭＩＰ移動性方法フィールド４５０は、ビット１４にてプロキシ移動体（Ｐｒｏｘｙ  Ｍｏｂｉｌｅ）ＩＰｖ６表示子を含む。下の表１は、要求ＭＩＰ移動性方法フィールド４５０の一実施形態を例証する。
【００１７】
【表１】
2010524358.tif 000003
【００１８】
図５を参照すると、ＭＩＨ＿Ｎｅｔｗｏｒｋ＿Ａｄｄｒｅｓｓ＿Ｉｎｆｏｒｍａｔｉｏｎ応答メッセージ５００が、発信元（Ｓｏｕｒｃｅ）ＩＤフィールド５０５、送信先（Ｄｅｓｔｉｎａｔｉｏｎ）ＩＤフィールド５１０、現在のリンク（Ｃｕｒｒｅｎｔ  Ｌｉｎｋ）ＩＤフィールド５１５、新ＰｏＡ識別子（Ｎｅｗ  ＰｏＡ  Ｉｄｅｎｔｉｆｉｅｒ）フィールド５２０、ＩＰ構成設定方法（ＩＰ  Ｃｏｎｆｉｇｕｒａｔｉｏｎ  Ｍｅｔｈｏｄ）フィールド５２５、ＤＨＣＰサーバー・アドレス（Ｓｅｒｖｅｒ  Ａｄｄｒｅｓｓ）フィールド５３０、アクセス・ルーター・アドレス（Ａｃｃｅｓｓ  Ｒｏｕｔｅｒ  Ａｄｄｒｅｓｓ）フィールド５３５、および結果符号（Ｒｅｓｕｌｔ  Ｃｏｄｅ）フィールド５４０を含む。
【００１９】
発信元ＩＤフィールド５０５は、メッセージの発信元を表す。送信先ＩＤフィールド５１０は、メッセージの送信先（すなわち、ＷＴＲＵ  ＭＩＨ）になるＭＩＨ機能を表す。現在のリンクＩＤフィールド５１５は、ハンドオーバーのための発信元リンクを表す。新ＰｏＡ識別子フィールド５２０は、ハンドオーバーの起動が考慮される新しいアクセス・ネットワークの接続点を表す。ＩＰ構成設定方法フィールド５２５は、ＰｏＡ識別子フィールド５１０において識別された接続点のＩＰ構成設定の方法を表す。ＤＨＣＰサーバー・アドレス・フィールド５３０は、ＰｏＡ識別子フィールド５１０において識別された接続点のＤＨＣＰサーバーのＩＰアドレスを表す。アクセス・ルーター・アドレス・フィールド５３５は、ＰｏＡ識別子フィールド５１０において識別された接続点に関連付けられたアクセス・ルーターのＩＰアドレスを表す。結果符号フィールド５４０は、メッセージに関連付けられた結果符号を表す。ＭＩＨ＿Ｎｅｔｗｏｒｋ＿Ａｄｄｒｅｓｓ＿Ｉｎｆｏｒｍａｔｉｏｎ応答メッセージ５００は、上に記述されたフィールドのすべてを、またはこれらのフィールドの何れの部分集合をも、何れかの組み合わせにおいて、含むことができる。
【００２０】
一実施形態においては、ＩＰ構成設定方法フィールド５２５は、ビット１４にてプロキシ移動体（Ｐｒｏｘｙ  Ｍｏｂｉｌｅ）ＩＰｖ６表示子を含む。下の表２は、ＩＰ構成設定方法フィールド５２５の一実施形態を例証する。
【００２１】
【表２】
2010524358.tif 000004
【００２２】
プロキシＭＩＰは、ＩＰｖ６（Ｉｎｔｅｒｎｅｔ  Ｐｒｏｔｏｃｏｌ  ｖｅｒｓｉｏｎ  ６：インターネット・プロトコル・バージョン６）の能力のあるネットワークに対するＮＥＴＬＭＭ（ＮＥＴｗｏｒｋ−ｂａｓｅｄ  Ｌｏｃａｌｉｚｅｄ  Ｍｏｂｉｌｉｔｙ  Ｍａｎａｇｅｍｅｎｔ）サポートとして現在は定義される。しかしながら、ＮＥＴＬＭＭの発展により、おそらくレガシなＩＰｖ４（Ｉｎｔｅｒｎｅｔ  Ｐｒｏｔｏｃｏｌ  ｖｅｒｓｉｏｎ  ４：インターネット・プロトコル・バージョン４）ネットワークを支援することになるであろう。別の実施形態においては、上で記述されたメッセージにおいてＩＰｖ４プロキシＭＩＰの支援を表すことができる。これにより、ＷＴＲＵがネットワーク選択の間に最良のハンドオーバー目標を選択することが同様に可能となるであろう。ＩＰｖ４の機能性を要求し、そして公知させるために、追加的な予備のビットを使用することができるであろう。
【００２３】
図６はＷＴＲＵ６００およびアクセス・ポイント６０５であり、上で記述されたように、ＭＩＨ＿Ｎｅｔｗｏｒｋ＿Ａｄｄｒｅｓｓ＿Ｉｎｆｏｒｍａｔｉｏｎ要求およびＭＩＨ＿Ｎｅｔｗｏｒｋ＿Ａｄｄｒｅｓｓ＿Ｉｎｆｏｒｍａｔｉｏｎ応答メッセージを送受信するように構成される。ＷＴＲＵ６００は、処理装置６１０、ＭＩＨ機能６１５、および複数の送受信機６２０ａ．．．６２０ｎを含む。処理装置６１０およびＭＩＨ機能６１５は、上で記述されたように、ＭＩＨ＿Ｎｅｔｗｏｒｋ＿Ａｄｄｒｅｓｓ＿Ｉｎｆｏｒｍａｔｉｏｎ要求メッセージを発生し、かつ処理するように構成される。複数の送受信機６２０ａ．．．６２０ｎは、様々な無線アクセス技術を使用する複数の異なった種別の無線通信システムにおいて通信し、そして上で記述されたように、ＭＩＨ＿Ｎｅｔｗｏｒｋ＿Ａｄｄｒｅｓｓ＿Ｉｎｆｏｒｍａｔｉｏｎ要求メッセージを送信するように構成される。
【００２４】
アクセス・ポイント６０５は、処理装置６２５、ＭＩＨ機能６３０、および送受信機６３５を含む。アクセス・ポイント６０５は、無線インターフェイス６４０を介してＷＴＲＵ６００と通信する。アクセス・ポイント６０５の処理装置６２５は、ＷＴＲＵ６００から無線インターフェイス６４０および送受信機６３５を介して受信したＭＩＨ＿Ｎｅｔｗｏｒｋ＿Ａｄｄｒｅｓｓ＿Ｉｎｆｏｒｍａｔｉｏｎ要求メッセージを処理する。処理装置６２５は、アクセス・ポイント６０５のＭＩＨ機能６３０と組み合わせて、受信したＭＩＨ＿Ｎｅｔｗｏｒｋ＿Ａｄｄｒｅｓｓ＿Ｉｎｆｏｒｍａｔｉｏｎ要求メッセージをＭＩＨＳ６４５に転送し、ＭＩＨＳ６４５からＭＩＨ＿Ｎｅｔｗｏｒｋ＿Ａｄｄｒｅｓｓ＿Ｉｎｆｏｒｍａｔｉｏｎ応答メッセージを受信する。受信されたＭＩＨ＿Ｎｅｔｗｏｒｋ＿Ａｄｄｒｅｓｓ＿Ｉｎｆｏｒｍａｔｉｏｎ＿Ｒｅｓｐｏｎｓｅメッセージは、ＷＴＲＵ６００に無線インターフェイス６４０を介して転送される。
【００２５】
本発明の特徴および要素が特定の組み合わせにて実施形態において記述されているが、それぞれの特徴または要素は、実施形態の他の特徴および要素なしで単独にて、または本発明の他の特徴および要素のあるなしに拘わらず様々な組み合わせにて使用可能である。本発明において提供される方法またはフロー図は、汎用目的のコンピューターまたは処理装置による実行のための、コンピューターにて読み取り可能な記憶装置媒体にて実体的に具現化されるコンピューター・プログラム、ソフトウェア、またはファームウェアにて実施することができる。コンピューターにて読み取り可能な記憶装置媒体の例としては、ＲＯＭ（Ｒｅａｄ  Ｏｎｌｙ  Ｍｅｍｏｒｙ：リード・オンリー・メモリ）、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。
【００２６】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００２７】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【００２８】
実施形態
１．ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）および情報ネットワークの間に高度化された接続を提供するための方法。
【００２９】
２．前記方法が、
前記ＷＴＲＵからサーバーへ問い合わせを送信するステップ
を具備する、実施形態１の方法。
【００３０】
３．前記方法が
前記ＷＴＲＵにて、前記サーバーからの前記問い合わせへの応答を受信するステップを具備することであって：前記応答が、少なくとも１つの利用可能なネットワークおよび前記利用可能なネットワークの能力を前記ＷＴＲＵに表す
前の実施形態のいずれか１つの方法。
【００３１】
４．前記方法が、
前記能力が予め定められた移動性要件を満足するなら、前記ＷＴＲＵおよび前記利用可能なネットワークの間に通信リンクを確立するステップ
を具備する、前の実施形態のいずれか１つの方法。
【００３２】
５．前記方法が、
利用可能なネットワーク能力が何れも前記要件を満足しないなら、前記ＷＴＲＵおよびネットワークの間にリンクを確立するステップと、少なくとも部分的に前記要件を満足させるための手順を適用するステップと
を具備する、前の実施形態のいずれか１つの方法。
【００３３】
６．前記要件がハンドオーバー時間の最小限への削減である、前の実施形態のいずれか１つの方法。
【００３４】
７．前記方法が、
ＷＴＲＵが目標ＰｏＡ（Ｐｏｉｎｔ  ｏｆ  Ａｔｔａｃｈｍｅｎｔ：接続点）を提供するステップ
を具備する、前の実施形態のいずれか１つの方法。
【００３５】
８．前記方法が、
前記ＷＴＲＵが移動体プロトコル構成設定の方法を特定するステップ
を具備する、前の実施形態のいずれか１つの方法。
【００３６】
９．前記方法が、
ＷＴＲＵが、前記ＷＴＲＵによって前記サーバーから検索された情報に基づきアクセス・ポイントを選択するステップ
を具備する、前の実施形態のいずれか１つの方法。
【００３７】
１０．前記ネットワークの前記能力が、情報交換のためのプロトコルに関する能力である、前の実施形態のいずれか１つの方法。
【００３８】
１１．前記プロトコルが、ＩＰ（Ｉｎｔｅｒｎｅｔ  Ｐｒｏｔｏｃｏｌ：インターネット・プロトコル）である、前の実施形態のいずれか１つの方法。
【００３９】
１２．前記インターネット・プロトコルが、クライアントＭＩＰ（Ｍｏｂｉｌｅ  ＩＰ：移動体ＩＰ）である、前の実施形態のいずれか１つの方法。
【００４０】
１３．前記方法が、前記インターネット・プロトコルが、プロキシＭＩＰ（Ｍｏｂｉｌｅ  ＩＰ：移動体ＩＰ）であることを具備する、前の実施形態のいずれか１つの方法。
【００４１】
１４．前記方法が、ＩＥＥＥ８０２．２１規格の環境において遂行される、前の実施形態のいずれか１つの方法。
【００４２】
１５．ＩＥＥＥ８０２．２１規格のＭＩＨ＿Ｎｅｔｗｏｒｋ＿Ａｄｄｒｅｓｓ＿Ｉｎｆｏｒｍａｔｉｏｎ要求メッセージが、目標アクセス・ポイント識別子の一覧を追加することにより高度化される、前の実施形態のいずれか１つの方法。
【００４３】
１６．ＩＥＥＥ８０２．２１規格のＭＩＨ＿Ｎｅｔｗｏｒｋ＿Ａｄｄｒｅｓｓ＿Ｉｎｆｏｒｍａｔｉｏｎ要求メッセージが、要求ＭＩＰ移動性方法を追加することにより高度化される、前の実施形態のいずれか１つの方法。
【００４４】
１７．ＩＥＥＥ８０２．２１規格のＭＩＨ＿Ｎｅｔｗｏｒｋ＿Ａｄｄｒｅｓｓ＿Ｉｎｆｏｒｍａｔｉｏｎ応答メッセージが、ＩＰ構成設定方法を追加することにより高度化される、前の実施形態のいずれか１つの方法。
【００４５】
１８．前記要求ＭＩＰ移動性方法が、表：
【００４６】
【表３】
2010524358.tif 000005
【００４７】
により定義されることであって、ここでＩＰｖ４およびＩＰｖ６はそれぞれインターネット・プロトコル・バージョン４およびバージョン６である、前の実施形態のいずれか１つの方法。
【００４８】
１８．前記ＩＰ構成方法が、表：
【００４９】
【表４】
2010524358.tif 000006
【００５０】
により定義されることであって、ここでＩＰｖ４およびＩＰｖ６はそれぞれインターネット・プロトコル・バージョン４およびバージョン６である、前の実施形態のいずれか１つの方法。
【００５１】
１９．前記方法が、ＮＥＴＬＭＭ  ＩＰｖ４の支援を公知させるために追加的予備ビットを使用するステップを具備する、前の実施形態のいずれか１つの方法。
【００５２】
２０．前記方法が、ＤＳ−ＭＩＰ６の支援を公知させるために追加的予備ビットを使用するステップを具備する、前の実施形態のいずれか１つの方法。
【００５３】
２１．前の実施形態のいずれか１つの前記方法を実行するための無線送受信ユニット（ｗｉｒｅｌｅｓｓ  ｔｒａｎｓｍｉｔ  ｒｅｃｅｉｖｅ  ｕｎｉｔ）。
【００５４】
２２．前の実施形態のいずれか１つの前記方法の少なくとも一部を実行するための媒体に独立なハンドオーバー（ｍｅｄｉａ  ｉｎｄｅｐｅｎｄｅｎｔ  ｈａｎｄｏｖｅｒ）機能。
【００５５】
２３．前の実施形態のいずれか１つの前記方法の少なくとも一部を実行するためのアクセス・ルーター。
【００５６】
２４．前の実施形態のいずれか１つの前記方法の少なくとも一部を実行するように構成される無線通信システム。
【図１】
2010524358.tif 000007
【図２】
2010524358.tif 000008
【図３】
2010524358.tif 000009
【図４】
2010524358.tif 000010
【図５】
2010524358.tif 000011
【図６】
2010524358.tif 000012
【手続補正書】
【提出日】平成21年12月7日(2009.12.7)
【手続補正１】
【補正対象書類名】特許請求の範囲
【補正対象項目名】全文
【補正方法】変更
【補正の内容】
【特許請求の範囲】
【請求項１】
目標接続点に関するＭＩＰ（Ｍｏｂｉｌｅ  Ｉｎｔｅｒｎｅｔ  Ｐｒｏｔｏｃｏｌ）情報を獲得するためのＷＴＲＵ（Ｗｉｒｅｌｅｓｓ  Ｔｒａｎｓｍｉｔ  Ｒｅｃｅｉｖｅ  Ｕｎｉｔ）であって、
前記ＷＴＲＵの、前記目標接続点の識別および好適なＭＩＰの方法の識別を含む問い合わせを生成するように構成された処理装置と、
ＭＩＨ（Ｍｅｄｉａ  Ｉｎｄｅｐｅｎｄｅｎｔ  Ｈａｎｄｏｖｅｒ）サーバーに前記問い合わせを送信するように構成された送信機と、
前記目標接続点の識別と前記目標接続点のＭＩＰ構成設定方法の識別とを含む応答を前記ＭＩＨサーバーから受信するように構成された受信機と
を具備することを特徴とするＷＴＲＵ。
【請求項２】
前記処理装置が、前記目標接続点の前記ＭＩＰ構成設定方法に基づき前記目標接続点にハンドオフするべきかを判定するようにさらに構成されることを特徴とする請求項１に記載のＷＴＲＵ。
【請求項３】
前記ＷＴＲＵの前記好適なＭＩＰの方法が、クライアントＭＩＰまたはプロキシＭＩＰであることを特徴とする請求項１に記載のＷＴＲＵ。
【請求項４】
前記ＷＴＲＵの前記好適なＭＩＰの方法の前記識別が、前記問い合わせにおける要求ＭＩＰ移動性方法フィールド中に含まれることを特徴とする請求項１に記載のＷＴＲＵ。
【請求項５】
前記目標接続点の前記ＭＩＰ構成設定方法の前記識別が、前記応答におけるＩＰ構成設定方法フィールド中に含まれることを特徴とする請求項１に記載のＷＴＲＵ。
【請求項６】
目標接続点に関するＭＩＰ（Ｍｏｂｉｌｅ  Ｉｎｔｅｒｎｅｔ  Ｐｒｏｔｏｃｏｌ）情報を獲得するためにＷＴＲＵ（Ｗｉｒｅｌｅｓｓ  Ｔｒａｎｓｍｉｔ  Ｒｅｃｅｉｖｅ  Ｕｎｉｔ）において使用するための方法であって、
前記ＷＴＲＵの、前記目標接続点の識別と好適なＭＩＰの方法の識別とを含む問い合せをＭＩＨ（Ｍｅｄｉａ  Ｉｎｄｅｐｅｎｄｅｎｔ  Ｈａｎｄｏｖｅｒ）サーバーに送信するステップと、
前記目標接続点の識別と前記目標接続点のＭＩＰ構成設定方法の識別とを含む応答を前記ＭＩＨサーバーから受信するステップと
を具備することを特徴とする方法。
【請求項７】
前記目標接続点の前記ＭＩＰ構成設定方法に基づき前記目標接続点にハンドオフするかを判定するステップをさらに具備することを特徴とする請求項６に記載の方法。
【請求項８】
前記ＷＴＲＵの前記好適なＭＩＰの方法が、クライアントＭＩＰまたはプロキシＭＩＰであることを特徴とする請求項６に記載の方法。
【請求項９】
前記ＷＴＲＵの前記好適なＭＩＰの方法の前記識別が、前記問い合わせにおける要求ＭＩＰ移動性方法フィールド中に含まれることを特徴とする請求項６に記載の方法。
【請求項１０】
前記目標接続点の前記ＭＩＰ構成設定方法の前記識別が、前記応答におけるＩＰ構成設定方法フィールド中に含まれることを特徴とする請求項６に記載の方法。
【請求項１１】
目標接続点に関するＭＩＰ（Ｍｏｂｉｌｅ  Ｉｎｔｅｒｎｅｔ  Ｐｒｏｔｏｃｏｌ）情報を提供するためのＡＰ（Ａｃｃｅｓｓ  Ｐｏｉｎｔ）であって、
前記ＷＴＲＵの、前記目標接続点の識別と好適なＭＩＰの方法の識別とを含む問い合わせをＷＴＲＵ（Ｗｉｒｅｌｅｓｓ  Ｔｒａｎｓｍｉｔ  Ｒｅｃｅｉｖｅ  Ｕｎｉｔ）から受信するように構成される受信機と、
ＭＩＨ（Ｍｅｄｉａ  Ｉｎｄｅｐｅｎｄｅｎｔ  Ｈａｎｄｏｖｅｒ）サーバーに前記問い合わせを送信するように、かつ、前記問い合わせへの応答を前記ＭＩＨサーバーから受信するように構成される処理装置と、
前記目標接続点の識別と前記目標接続点のＭＩＰ構成設定方法とを含む応答を前記ＷＴＲＵへ送信するように構成される送信機と
を具備することを特徴とするＡＰ。
【請求項１２】
前記ＷＴＲＵの前記好適なＭＩＰの方法が、クライアントＭＩＰまたはプロキシＭＩＰであることを特徴とする請求項１１に記載のＡＰ。
【請求項１３】
前記ＷＴＲＵの前記好適なＭＩＰの方法が、プロキシ移動体（Ｐｒｏｘｙ  Ｍｏｂｉｌｅ）ＩＰｖ４またはプロキシ移動体（Ｐｒｏｘｙ  Ｍｏｂｉｌｅ）ＩＰｖ６であることを特徴とする請求項１２に記載のＡＰ。
【請求項１４】
前記ＷＴＲＵの前記好適なＭＩＰの方法の前記識別が、前記問い合わせにおける要求ＭＩＰ移動性方法フィールド中に含まれることを特徴とする請求項１１に記載のＡＰ。
【請求項１５】
前記目標接続点の前記ＭＩＰ構成設定方法の前記識別が、前記応答におけるＩＰ構成設定方法フィールド中に含まれることを特徴とする請求項１１に記載のＡＰ。
【国際調査報告】
2010524358.tif 000013
2010524358.tif 000014
2010524358.tif 000015